(57)【要約】【課題】ブラウザを起動する時間帯等の時期的条件に応じて異なったホームページを予め設定することで、閲覧を効率化する技術すなわちウェブページ表示装置、方法及びプログラムを提供する【解決手段】設定部２は、時間帯、曜日、時刻、日の少なくともいずれかを含む複数の時期的条件ごとに対応して、ブラウザの起動時に表示するホームページの設定を受け付ける。３は、登録された時間帯と各時間帯ごとに対応するホームページのＵＲＬを記録したホームページ登録ファイルである。判断制御部７は、ブラウザの起動された時期を判断するとともに、判断された時期と、ホームページ登録ファイル３に記憶された情報とを比較することにより、起動された時期に応じたホームページをブラウザの初期画面として表示させる。【選択図】　図１
2004013852.tif 000002
【特許請求の範囲】
【請求項１】
ブラウザと、
ブラウザの起動時に表示する複数のホームページを、時刻、時間帯、曜日又は日の少なくともいずれかを含む時期的条件にそれぞれ対応付けて、コンピュータが設定受け付けする手段と、
を備えたことを特徴とするウェブページ表示装置。
【請求項２】
コンピュータ及びブラウザを用いてウェブページを表示するウェブページ表示装置において、
前記コンピュータが、
時間帯、曜日、時刻、日の少なくともいずれかを含む複数の時期的条件ごとに対応して、前記ブラウザの起動時に表示するホームページの設定を受け付ける手段と、
前記のように設定された時期的条件とホームページの情報を記憶する記憶手段と、
前記ブラウザが起動された時期を判断する手段と、
判断された前記時期と、前記記憶手段に記憶された情報とを比較することにより、起動された前記時期に応じたホームページをブラウザの初期画面として表示させる手段と、
を備えたことを特徴とするウェブページ表示装置。
【請求項３】
前記コンピュータは、前記時期的条件のうち予め選択されたものが満足されると、ブラウザの起動を行うとともに、前記時期的条件に対応するホームページをブラウザに表示させる手段を備えたことを特徴とする請求項１又は２記載のウェブページ表示装置。
【請求項４】
ブラウザの起動時に表示する複数のホームページを、時刻、時間帯、曜日又は日の少なくともいずれかを含む時期的条件にそれぞれ対応付けて、コンピュータが設定受け付けすることを特徴とするウェブページ表示方法。
【請求項５】
コンピュータ及びブラウザを用いてウェブページを表示するウェブページ表示方法において、
時間帯、曜日、時刻、日の少なくともいずれかを含む複数の時期的条件ごとに対応して、前記ブラウザの起動時に表示するホームページの設定を前記コンピュータが受け付ける処理と、
前記のように設定された時期的条件とホームページの情報を前記コンピュータが記憶手段に記憶する処理と、
前記ブラウザが起動された時期を前記コンピュータが判断する手段と、
前記コンピュータが、判断された前記時期と、前記記憶手段に記憶された情報とを比較することにより、起動された前記時期に応じたホームページをブラウザの初期画面として表示させる処理と、
を含むことを特徴とするウェブページ表示方法。
【請求項６】
前記コンピュータが、前記時期的条件のうち予め選択されたものが満足されると、ブラウザの起動を行うとともに、前記時期的条件に対応するホームページをブラウザに表示させる処理を含むことを特徴とする請求項４又は５記載のウェブページ表示方法。
【請求項７】
ブラウザを備えたコンピュータを制御することにより、
ブラウザの起動時に表示する複数のホームページを、時刻、時間帯、曜日又は日の少なくともいずれかを含む時期的条件にそれぞれ対応付けて、設定受け付けさせることを特徴とするウェブページ表示プログラム。
【請求項８】
コンピュータを制御することにより、ブラウザを用いてウェブページを表示するウェブページ表示プログラムにおいて、
そのプログラムは前記コンピュータに、
時間帯、曜日、時刻、日の少なくともいずれかを含む複数の時期的条件ごとに対応して、前記ブラウザの起動時に表示するホームページの設定を受け付けさせ、
前記のように設定された時期的条件とホームページの情報を記憶手段に記憶させ、
前記ブラウザが起動された時期を判断させ、
判断された前記時期と、前記記憶手段に記憶された情報とを比較することにより、起動された前記時期に応じたホームページをブラウザの初期画面として表示させることを特徴とするウェブページ表示プログラム。
【請求項９】
前記プログラムは前記コンピュータに、前記時期的条件のうち予め選択されたものが満足されると、ブラウザの起動を行わせるとともに、前記時期的条件に対応するホームページをブラウザに表示させることを特徴とする請求項７又は８記載のウェブページ表示プログラム。
【発明の詳細な説明】
【０００１】
【発明の属する技術分野】
本発明は、ブラウザを起動する時間帯等の時期的条件に応じて異なったホームページを予め設定することで、閲覧を効率化する技術に関するものである。
【０００２】
【従来の技術】
近年、情報処理技術が急速に発達し、その重要な要素はインターネット、特にＷＷＷ（ワールド・ワイド・ウェブ）である。ＷＷＷは、世界中に張り巡らされたインターネットに接続されたコンピュータ上のウェブページが、飛び先を指定するハイパーリンクで接続されたもので、その閲覧用ソフトゥエアをウェブ・ブラウ又は単にブラウザと呼ぶ。また、ブラウザの起動時に最初に表示されるウェブページは「ホームページ」と呼ばれ、通常はユーザの操作により所望のものに設定できる。
【０００３】
【発明が解決しようとする課題】
ところで、本出願人による新たな認識として、ユーザが見たいウェブページは時間帯等の時期的条件に応じてある程度決まっている場合がある。例えば、朝の出勤前は天気情報を、昼休みはニュースサイトを、夜の帰宅後はなじみの電子掲示板の新規発言をチェックするなどである。
【０００４】
しかるところ、従来では、ブラウザのホームページは、図４の概念図に示すように、一つしか登録できなかったため、いつブラウザを起動しても最初に現れるホームページは同じであった。このため、見たいウェブページが時間帯等の状況に応じて決まっていても、毎日そのたびごとに、ブックマーク機能などにより所望のページを呼び出すという、無駄に重複した手順が不可避で、効率良く閲覧できないという問題があった。
【０００５】
本発明は、上記のような従来技術の問題点を解決するために提案されたもので、その目的は、ブラウザを起動する時間帯等の時期的条件に応じて異なったホームページを予め設定することで、閲覧を効率化する技術すなわちウェブページ表示装置、方法及びプログラムを提供することである。
【０００６】
【課題を解決するための手段】
上記の目的を達成するため、請求項１のウェブページ表示装置は、ブラウザと、ブラウザの起動時に表示する複数のホームページを、時刻、時間帯、曜日又は日の少なくともいずれかを含む時期的条件にそれぞれ対応付けて、コンピュータが設定受け付けする手段と、を備えたことを特徴とする。
【０００７】
請求項４のウェブページ表示方法は、請求項１の発明を方法という見方から捉えたもので、ブラウザの起動時に表示する複数のホームページを、時刻、時間帯、曜日又は日の少なくともいずれかを含む時期的条件にそれぞれ対応付けて、コンピュータが設定受け付けすることを特徴とする。
【０００８】
請求項７のウェブページ表示プログラムは、請求項１，４の発明をコンピュータプログラムという見方から捉えたもので、ブラウザを備えたコンピュータを制御することにより、ブラウザの起動時に表示する複数のホームページを、時刻、時間帯、曜日又は日の少なくともいずれかを含む時期的条件にそれぞれ対応付けて、設定受け付けさせることを特徴とする。
【０００９】
請求項２の発明は、コンピュータ及びブラウザを用いてウェブページを表示するウェブページ表示装置において、前記コンピュータが、時間帯、曜日、時刻、日の少なくともいずれかを含む複数の時期的条件ごとに対応して、前記ブラウザの起動時に表示するホームページの設定を受け付ける手段と、前記のように設定された時期的条件とホームページの情報を記憶する記憶手段と、前記ブラウザが起動された時期を判断する手段と、判断された前記時期と、前記記憶手段に記憶された情報とを比較することにより、起動された前記時期に応じたホームページをブラウザの初期画面として表示させる手段と、を備えたことを特徴とする。
【００１０】
請求項５の発明は、請求項２の発明を方法という見方から捉えたもので、コンピュータ及びブラウザを用いてウェブページを表示するウェブページ表示方法において、時間帯、曜日、時刻、日の少なくともいずれかを含む複数の時期的条件ごとに対応して、前記ブラウザの起動時に表示するホームページの設定を前記コンピュータが受け付ける処理と、前記のように設定された時期的条件とホームページの情報を前記コンピュータが記憶手段に記憶する処理と、前記ブラウザが起動された時期を前記コンピュータが判断する手段と、前記コンピュータが、判断された前記時期と、前記記憶手段に記憶された情報とを比較することにより、起動された前記時期に応じたホームページをブラウザの初期画面として表示させる処理と、を含むことを特徴とする。
【００１１】
請求項８の発明は、請求項２，５の発明をコンピュータプログラムという見方から捉えたもので、コンピュータを制御することにより、ブラウザを用いてウェブページを表示するウェブページ表示プログラムにおいて、そのプログラムは前記コンピュータに、時間帯、曜日、時刻、日の少なくともいずれかを含む複数の時期的条件ごとに対応して、前記ブラウザの起動時に表示するホームページの設定を受け付けさせ、前記のように設定された時期的条件とホームページの情報を記憶手段に記憶させ、前記ブラウザが起動された時期を判断させ、判断された前記時期と、前記記憶手段に記憶された情報とを比較することにより、起動された前記時期に応じたホームページをブラウザの初期画面として表示させることを特徴とする。
【００１２】
これらの態様では、時間帯、曜日、時刻や日などの時期的条件に対応して、それぞれ異なるホームページを複数設定できるので、時間帯などいつブラウザを起動するかに応じて、状況に適したウェブページが自動的にブラウザに表示される。このため、ブラウザ起動のたびごとに、ブックマーク機能などにより所望のページを呼び出す無駄に重複した手順が不要となり、閲覧が効率化される。
【００１３】
請求項３の発明は、請求項１又は２記載のウェブページ表示装置において、前記コンピュータは、前記時期的条件のうち予め選択されたものが満足されると、ブラウザの起動を行うとともに、前記時期的条件に対応するホームページをブラウザに表示させる手段を備えたことを特徴とする。
【００１４】
請求項６の発明は、請求項３の発明を方法という見方から捉えたもので、請求項４又は５記載のウェブページ表示方法において、前記コンピュータが、前記時期的条件のうち予め選択されたものが満足されると、ブラウザの起動を行うとともに、前記時期的条件に対応するホームページをブラウザに表示させる処理を含むことを特徴とする。
【００１５】
請求項９の発明は、請求項３，６の発明をコンピュータプログラムという見方から捉えたもので、請求項７又は８記載のウェブページ表示プログラムにおいて、前記プログラムは前記コンピュータに、前記時期的条件のうち予め選択されたものが満足されると、ブラウザの起動を行わせるとともに、前記時期的条件に対応するホームページをブラウザに表示させることを特徴とする。
【００１６】
これらの態様では、予め決めた時期になると自動的にブラウザが立ち上がりホームページが表示されるので、大事な情報を見落とすことが防止される。なお、ブラウザの起動だけでなく、コンピュータの起動やインターネット接続の確立も自動で行うようにしてもよい。
【００１７】
【発明の実施の形態】
次に、本発明の実施の形態（以下「実施形態」と呼ぶ）について、添付の図面を参照して具体的に説明する。なお、本実施形態は、コンピュータをプログラムで制御することで実現できるが、この場合のハードウェアやプログラムの実現態様は各種変更可能であるから、以下の説明では、本発明及び本実施形態の各機能を実現する仮想的回路ブロックを用いる。
【００１８】
〔１．構成〕
本実施形態は、コンピュータを用いてウェブページを表示するウェブページ表示装置（以下「本装置」と呼ぶ）であって、ウェブページ表示方法及びコンピュータプログラムとして把握することもできる。この場合のコンピュータプログラムは、コンピュータを制御することにより、ブラウザの起動時に表示する複数のホームページを、時刻、時間帯、曜日又は日の少なくともいずれかを含む時期的条件にそれぞれ対応付けて、設定受け付けさせることを特徴とする。
【００１９】
〔１−１．全体構成〕
より具体的には、本装置は、図１の機能ブロック図に示す各部分に分けて把握できる。このうち１は、アプリケーションプログラムにより実現されるブラウザ本体である。設定部２は、時間帯、曜日、時刻、日の少なくともいずれかを含む複数の時期的条件ごとに対応して、ブラウザの起動時に表示するホームページの設定をコンピュータが受け付ける手段である。
【００２０】
３は、前記のように設定された時期的条件とホームページの情報をコンピュータが記憶する記憶手段であり、具体的には、登録された時間帯と各時間帯ごとに対応するホームページのＵＲＬを記録したホームページ登録ファイルである。４は、装置の内部時計、ユーザインタフェースＵＩは、ブラウザを起動するコンピュータの手段であるユーザインタフェース（Ｕｓｅｒ　Ｉｎｔｅｒｆａｃｅ）であり、ウインドウ表示の処理など必要なプロセスを含む。５は、ブラウザによるウェブページの表示画面を表示する液晶表示パネルなどの表示器、６は、キーボードやマウスなどの入力装置である。
【００２１】
判断制御部７は、コンピュータがブラウザの起動された時期を判断する手段であり、また、コンピュータが、判断された時期と、ホームページ登録ファイル３に記憶された情報とを比較することにより、起動された時期に応じたホームページをブラウザの初期画面として表示させる手段である。
【００２２】
〔１−２．ホ−ムページデータ登録ファイル３の内容〕
また、ホームページデータ登録ファイル３は、図２に示すように、時間帯と、その時間帯にブラウザが起動された場合に表示されるべきホームページのＵＲＬとの対照構造であり、このファイル３の内容は、設定部２がユーザから受け付けた設定内容に対応して登録されるものである。
【００２３】
なお、図２中、「ｄｅｆａｕｌｔ」は、コンピュータの購入時又はブラウザのインストール直後の初期設定となっているホームページのＵＲＬであり、ユーザが特段ホームページを設定していない時間帯にブラウザが起動されたときは、この「ｄｅｆａｕｌｔ」で指定されたＵＲＬのウェブページがホームページすなわち初期画面として表示される。この「ｄｅｆａｕｌｔ」のＵＲＬをユーザーが登録し直せるようにしてもよい。
【００２４】
〔２．作用〕
上記のように構成された本実施形態では、ユーザが、時間帯等の時期的条件と、各時期的条件ごとに対応してブラウザの起動時に表示させたいホームページと、設定部２を通じて設定すると、それらの情報が図２のようにホームページ登録ファイル３に記憶される。
【００２５】
そして、ブラウザが起動されると、判断制御部７が、内部時計４に基いて起動の時期を判断し、判断された時期と、ホームページ登録ファイル３に記憶された情報とを比較することにより、起動された時期に応じたホームページをブラウザの初期画面として表示させる。
【００２６】
すなわち、図３のフローチャートに示す通り、ブラウザが起動されると（ステップ１）、判断制御部７は、まずシステム内部の時計から現在時刻を取得し（ステップ２）、ホームページ登録ファイル３のデータを参照し（ステップ３）、現在時刻の時間帯に表示するべきＵＲＬ（ホームページデータ）が登録されていれば（ステップ４）、当該ＵＲＬのサイトのウェブページをホームページとして（ステップ５）表示し（ステップ６）、現在時刻の時間帯に表示するべきＵＲＬが登録されていなければ（ステップ４）、ホームページ登録ファイル３において「ｄｅｆａｕｌｔ」で指定されているＵＲＬのウェブページをホームページとして（ステップ７）表示する（ステップ６）。
【００２７】
これにより、例えば、朝の７時台にブラウザを起動すると「ａａａ天気予報」が最初に表示され、昼休みの１２時台にブラウザを起動すると「ｂｂｂｎｅｗｓ．ｃｏｍ」が最初に表示される、といった使い方が可能となる。
【００２８】
〔３．効果〕
以上のように、本実施形態では、時間帯、曜日、時刻や日などの時期的条件に対応して、それぞれ異なるホームページを複数設定できるので、時間帯などいつブラウザを起動するかに応じて、状況に適したウェブページが自動的にブラウザに表示される。このため、ブラウザ起動のたびごとに、ブックマーク機能などにより所望のページを呼び出す無駄に重複した手順が不要となり、閲覧が効率化される。
【００２９】
〔４．他の実施形態〕
なお、本発明は、上記実施形態には限定されず、以下に例示するような他の実施形態も含むものである。例えば、上記実施形態の構成に加え、時期的条件のうち予め選択されたものが満足されると、ブラウザを起動するとともに、その時期的条件に対応するホームページをブラウザに表示させる手段をコンピュータに備えてもよい。このようにすれば、予め決めた時期になると自動的にブラウザが立ち上がりホームページが表示されるので、大事な情報を見落とすことが防止される。なお、ブラウザの起動だけでなく、コンピュータの起動やインターネット接続の確立も自動で行うようにしてもよい。
【００３０】
また、図２では、時間帯により異なるホームページを指定する例を示したが、時期的条件としては、特定の時刻でもよいし、平日と土日のように曜日に応じて異なるホームページを表示したり、〇月〇日のように例えばサッカーの試合の翌日など特定の日にあらかじめ設定しておいた該当ページを表示するなどでもよい。これら、時刻、時間帯、曜日又は日は、ユーザの選択に応じて併用してもよいし、複数組み合わせた条件指定を許してもよい。
【００３１】
【発明の効果】
以上のように、この発明によれば、ブラウザを起動する時間帯等の時期的条件に応じて異なったホームページを予め設定することで、閲覧を効率化する技術すなわちウェブページ表示装置、方法及びプログラムを提供することができる。
【図面の簡単な説明】
【図１】本発明の実施形態の構成を示す機能ブロック図。
【図２】本発明の実施形態におけるホームページ登録ファイルの内容を示す図。
【図３】本発明の実施形態における処理手順を示す図。
【図４】従来技術において、単一のホームページのみしか設定できなかった状態を示す概念図。
【符号の説明】
１…ブラウザ本体
２…設定部
３…ホームページ登録ファイル
４…装置の内部時計
５…表示器
６…入力装置
７…判断制御部
ＳＴＥＰ…手順の各ステップ
【図１】
2004013852.tif 000003
【図２】
2004013852.tif 000004
【図３】
2004013852.tif 000005
【図４】
2004013852.tif 000006